(57)【要約】【課題】理美容椅子に代表されるリクライニング椅子の座面と背もたれ面の通気性を高めて、暑い季節には、顧客の背中などが汗をかいたり、蒸れたりしないようにすることにより、着席している顧客に好影響をもたらし、除菌作用、消臭作用、芳香作用などを付加できる機能を備えたリクライニング椅子と、このような作用を持つリクライニング椅子用カバーを提供すること。【解決手段】座面と背もたれ面に空気を流通させる凹溝が形成され、この凹溝の途中又は一端側に開孔が設けられて、この開孔が空気吸引手段に接続されており、更に、好ましくは、除菌、消臭、芳香の少なくとも１つの作用を発揮する送風及び吸引が行なわれる機能を備えたリクライニング椅子と、同様の機能を備えたリクライニング椅子用カバーを提供する。【選択図】図３
2005296593.tif 000002
【特許請求の範囲】
【請求項１】
座面と背もたれ面に空気を流通させる凹溝が形成され、この凹溝の途中又は一端側に開孔が設けられて、この開孔が空気吸引手段に接続されていることを特徴とするリクライニング椅子。
【請求項２】
座面及び背もたれ面の内側面に、熱伝導性の高い材料が固定されている請求項１に記載のリクライニング椅子。
【請求項３】
除菌、消臭、芳香の少なくとも１つの作用を発揮する送風及び吸引が行なわれる機能を備えてなる請求項１又は２に記載のリクライニング椅子。
【請求項４】
座面と背もたれ面の内側に、ヒータが内蔵されている請求項１ないし３のいずれが１項に記載のリクライニング椅子。
【請求項５】
リクライニング椅子の座面と背もたれ面に添えて使用するカバーであり、当該カバーの表面に空気を流通させる凹溝が形成され、この凹溝の一端近傍に開孔が設けられて、この開孔が空気吸引手段と接続されていることを特徴とするリクライニング椅子用カバー。
【請求項６】
カバーの内側に、熱伝導性の高い材料が固定されている請求項５に記載のリクライニング椅子用カバー。
【請求項７】
除菌、消臭、芳香の少なくとも１つの機能を発揮する機能を備えた請求項５又は６に記載のリクライニング椅子用カバー。
【請求項８】
内部にヒータが内蔵されている請求項５ないし７のいずれか１項に記載のリクライニング椅子用カバー。
【発明の詳細な説明】
【技術分野】
【０００１】  本発明は、理美容椅子に代表されるリクライニング椅子に着席している人との間に、暑い季節であれば、通気性を良好にさせて、更に好ましくは冷気を通過させて、着席している人の皮膚表面の体温がこもるのを防止して、発汗するのを防いだり、汗で湿った被服を乾燥させることができるリクライニング椅子と、このような作用を持つリクライニング椅子用カバーに関する。
【背景技術】
【０００２】  美容院や散髪屋に設備されている理美容椅子の座面や背もたれの外面は、シャンプー時の水滴、汗や汚れ、カットした毛髪などが付着しても、すぐに拭き取ったりブラシなどで掃き取ったりできるように、いわゆるレザー張りと呼ばれる合成樹脂シートで構成されており、一部の高級椅子には天然皮革が張られているものがある。これらの素材は通気性に欠けているため、暑い季節に顧客が理美容椅子に着席し続けると、室内が適温に冷房されていても、体温の逃げ場を失って、座面や背もたれに接する臀部や脚部、背中から汗が出たり蒸れが生じて、不快感が招いたり、衣服を湿らせたりする。このような状況を作らないためには、座面や背もたれ面をエンボス加工をするなどして、椅子に着席している顧客とこれらの面との間の通気性を高めるようにすることが考えられるが、これらの面が広いため、通気が十分に行なわれず、発汗を無くしたり、蒸れを無くすまでには至らない。
従来、このような問題を解決する理美容椅子として、実開昭６１−８８５５６号公報に記載の冷暖房付美容椅子が考案されているが、この美容椅子は、内部のプロペラ式の扇風機やドライヤー式の送風機が設けられて、これらによる風で体の表面温度を下げたり、汗を蒸散させることができる構造を有している。
しかしながら、現在、殆どの美容院や散髪屋などでは、このような椅子は見受けられず、このため、理美容現場で出来る対策といえば、室内の冷房温度を下げるしか無かった。
そして、このような問題は、理美容椅子固有のものではなく、自動車の座席、歯科用椅子などについても有していた。【０００３】
【特許文献１】実開昭６１−８８５５６号公報
【発明の開示】
【発明が解決しようとする課題】
【０００４】  従来技術が抱える課題として、実開昭６１−８８５５６号公報に記載の理美容椅子のように、座面や背もたれ面に送風用の開孔が形成されていても、この開孔が大きいもの又は送風が強いものでない限り、着席している顧客の被服が接しているために、送風は容易に流通しない。また、座面や背もたれ面に送風用の開孔が形成されていると、送風停止時に、カットした髪の毛が開孔から内部に侵入し、この後処理が必要になる。また、座面や背もたれ面の拭き掃除や掃き掃除も容易ではない。このような問題は理美容椅子だけでなく、自動車の座席、歯科用椅子についても同様である。【０００５】  本発明者は、このような背景下、理美容椅子に代表されるリクライニング椅子に着席している人との間に、暑い季節であれば、通気性を良好にさせて、更に好ましくは冷気を通過させて、着席している人の皮膚表面の体温がこもるのを防止し、更に好ましくは、寒い季節であれば、座面や背もたれ面を通して温かくすることができ、更に好ましくは、除菌作用、消臭作用、芳香作用などの機能も付加できることが好ましく、しかも、座面や背もたれ面の拭き掃除や掃き掃除も容易な椅子の開発に着手し、その後における鋭意・検討の結果、本発明を完成するに至った。【０００６】  本発明の１つは、理美容椅子などに代表されるリクライニング椅子についての発明であり、もう１つは、これらの椅子のカバー或いはカバーであり、何れも、少なくとも、通気性を高めて、暑い季節には、顧客の背中などが汗をかいたり、蒸れたりしないようにすることにより、着席している顧客に好影響をもたらし、しかも、維持管理や掃除がし易く、更に好ましくは、寒い季節であれば、顧客の背中などを温め、更に好ましくは、除菌作用、消臭作用、芳香作用などを付加できる機能を備えたものを提案することにより、従来、有していた課題を解消しようとするものである。
【課題を解決するための手段】
【０００７】  上述する課題を解決する本発明の請求項１では、座面と背もたれ面に空気を流通させる凹溝が形成され、この凹溝の途中又は一端側に開孔が設けられて、この開孔が空気吸引手段に接続されているリクライニング椅子を提案する。【０００８】  この凹溝は、このリクライニング椅子に着席している人との間に空気の流通が行なわれる形状のものであれば足り、緩やかな凹面の溝や曲面を持つ溝のような形状のものでも良いが、汚れがＦッ付着したときに拭き取り難い形状の、幅狭い溝や深い溝は好ましくない。
この凹溝は１本に限らず複数本、更には、多数本形成されていても構わないが、全ての凹溝の一端側に開孔が形成されて、これらの開孔が空気吸引手段と接続されている。尚、各凹溝の一端側を連続させて、ここに１つの開孔を設けてもよい。この開孔は座面と背もたれ面のそれぞれに設ける。
空気吸引手段は、例えば、シロッコファンのように、回転音が静かなファンが挙げられるが、必ずしもこれに限定されず、モータで駆動する小型吸引ポンプでもよい。この空気吸引手段は、リクライニング椅子の内部に設け、或いは、座面の下部など邪魔にならない外部箇所に付設する。
本発明のリクライニング椅子をこのように構成すると、この椅子に人が着席した状態で、空気吸引手段を駆動させると、着席している人と座面や背もたれ面ｔの間で空気が流通し、この空気の流通は、着席している人の被服の繊維間の微細な隙間を透過する程に隅々に及ぶ吸引作用を発揮する。この結果、着席している人の背面側の体温を下げ、蒸れを防ぎ、衣服が汗などで湿気っていても、すぐに乾燥する。このため、座面や背もたれ面に布カバーがされていても、大きな支障はない。
このため、空気吸引手段は、暑い季節や梅雨の季節に使用する。【０００９】  また、本発明の請求項２では、更に、座面及び背もたれ面の内側面に、熱伝導性の高い材料が固定されている。【００１０】  この熱伝導性の高い材料としては、例えば、銅などの金属繊維、密封した冷媒や水などが上げられる。また、通電により冷却作用を発揮する金属繊維を使用してもよい。
このように、座面及び背もたれ面の内側面に熱伝導性の高い材料を固定すると、座面や背もたれ面の表面側で空気の流通が行なわれたときに、熱が奪われて冷却作用を発揮する。このため、更に効果的に人の背中などの皮膚温度を下げることが可能になる。【００１１】  また、本発明の請求項３では、更に、除菌、消臭、芳香の少なくとも１つの作用を発揮する送風及び吸引が行なわれる機能を備えたリクライニング椅子を提案する。【００１２】  これら除菌、消臭、芳香は、空気の流通作用によって発揮する。このため、空気吸引手段の吸入路又は排気側には、これらいずれかの作用を発揮する材料が充填された経路が接続されている。
除菌と消臭作用を発揮する材料としては、例えば、木炭、白炭、活性炭などが挙げられる。また、光触媒プレフィルタに酸化チタンをコーティングし、紫色ＬＥＤを点灯させて光触媒作用による消臭、除菌、抗ウイルス作用を発揮する経路を接続してもよい。このようにすると、体臭や汗の臭いだけでなく、室内に浮遊する臭い分子も吸着させたり消臭させ、健康に良いとされるマイナスイオンも発生する。このため、快適な室内環境が維持される。この他、フィトンチッドを発揮する木材チップ、マイナスイオンを発揮する公知の鉱物材料を充填した経路、消臭フィルタを設けた経路を接続してもよい。
芳香は、公知の芳香剤が挙げられるが、更に好ましくは、香りが自然である植物性の芳香剤が好ましい。【００１３】  また、本発明の請求項４では、更に、座面と背もたれ面の内側に、ヒータが内蔵されたリクライニング椅子を提案する。【００１４】  座面や背もたれ面の内側にヒータを内蔵する技術は、公知例を挙げるまでもなく、例えば、高級乗用車の座席に既に使用されているが、上述した請求項１ないし４に記載の技術と併せ持つものは、知られていない。
このような作用を併せ持つ本発明の請求項５に記載のリクライニング椅子は、季節に応じて、スイッチの操作で、空気吸引手段とヒータを切り換える。なお、ヒータを使用しているときも、除菌作用や消臭作用、芳香作用などのいずれかを及ぼすことができるように、別にファンなどを設けてもよい。そして、空気の給排気を、座面や背もたれ面の近傍の邪魔にならない箇所に設けてもよい。【００１５】  また、本発明では、上述した各作用のいずれかの作用を及ぼすリクライニング椅子用のカバーについても提案する。
このうち、本発明の請求項５では、リクライニング椅子の座面と背もたれ面に添えて使用するカバーであり、当該カバーの表面に空気を流通させる凹溝が形成され、この凹溝の一端近傍に開孔が設けられて、この開孔が空気吸引手段と接続されているリクライニング椅子用カバーを提案する。【００１６】  このカバーは、凹溝を形成するに十分な適度に厚みと、柔軟性を有し、座面や背もたれ面に着脱可能に固定するなどして使用する。このため、リクライニング椅子は、上述した作用を発揮しない、従来型のものであれば足りる。
このカバーをリクライニング椅子に取り付けると、請求項１に対応して記載した作用と同様の作用が得られる。このため、上述した作用が、椅子を買い換えることなく、経済的に実現できる。【００１７】  また、本発明の請求項６では、このカバーの内側に、熱伝導性の高い材料が固定されているリクライニング椅子用カバーを提案し、また本発明の請求項７では、除菌、消臭、芳香の少なくとも１つの機能を発揮するリクライニング椅子用カバーを提案し、また、本発明の請求項８では、更に内部にヒータが内蔵されたリクライニング椅子用カバーを提案する。【００１８】  このようなカバーにすることによっても、請求項２ないし４に対応した作用を、経済的に実現させることができる。
【発明の効果】
【００１９】  本発明の請求項１に記載のリクライニング椅子によれば、この椅子の座面及び背もたれ面と、この椅子に着席している人との間に空気が流通する空間が形成され、しかも、この空間を利用して吸引方向に空気を流通させることが出来たので、暑い季節に、この椅子に着席している人が、背中などに汗をかいたり、背中と椅子との間などで蒸れが生じたりしなくなった。この結果、着席している人に快適な環境にすることができるようになった。【００２０】  そして、本発明の請求項２では、更に、座面及び背もたれ面の内側面に、熱伝導性の高い材料を固定したリクライニング椅子とした結果、上述した効果が更に高く発揮されるようになった。【００２１】  そして、本発明の請求項３では、更に、除菌、消臭、芳香の少なくとも１つの作用を発揮する送風及び吸引が行なわれる機能を備えたリクライニング椅子とした結果、快適で健康的な室内環境にすることができる。【００２２】  そして、本発明の請求項４では、更に、座面と背もたれ面の内側に、ヒーが内蔵されたリクライニング椅子とした結果、寒い季節に、着席している人に、着席時に椅子の冷たさを与えることなく、温かい環境を提供することができるようになった。【００２３】  また、これらの効果を、本発明の請求項５〜８に記載のリクライニング椅子用カバーを使用しても、得られるようになった。
【発明を実施するための最良の形態】
【００２４】  本発明を実施するための最良の形態は、次の実施例のリクライニング椅子と、リクライニング椅子用カバーが該当する。
【実施例１】
【００２５】  図１は、本発明の実施例１による理美容椅子を簡略して示した側面図であり、図２は同じく正面図である。これら各図に示すように、この実施例１による理美容椅子１はリクラインニング椅子であり、座面２と背もたれ面３には、それぞれ、空気を流通させる凹溝２ａ、３ａが複数本、並んで形成されている。これらの凹溝２ａ，３ａは、座面２と背もたれ面３ごとに、一部箇所で連続して、それぞれに開孔２ｂ，３ｂが形成されている。そして、各開孔２ｂ，３ｂは、空気路４を通じて、送風手段である送風機５の吸気口と接続されており、この送風機５内には、モータ８の駆動により回転するシロッコファン７が内装され、更に、この送風機５の通路には、木炭チップが通気性の高い袋に詰められた状態で収容されている。
このため、この理美容椅子１に人Ｄが着席すると、この椅子の座面２及び背もたれ面３と、この椅子に着席している人との間に空気が流通する空間Ｓ１，Ｓ２が形成され、送凧機５を駆動させると、この空間Ｓ１，Ｓ２を通じて吸引方向に空気を流通し、この椅子１に着席している人Ｄの背中などの体温を下げる作用が働く。このため、背中などに汗をかいたり、背中と椅子との間などで蒸れが生じることを防ぐことが出来、着席している人Ｄに快適な環境にすることができるようになった。尚、図示していないが、座面２や背もたれ面３の内部にヒータを内蔵して、寒い季節に対応させるようにしてもよい。
【実施例２】
【００２６】  そして、図３に示す理美容椅子１では、更に、背もたれ面３の邪魔にならない左右の上端の空気噴出し口１０，１０を設け、この空気噴出し口１０，１０から着席している人の近くに、マイナスイオンを含んだ微速の空気が噴出されるように、この空気噴出し口１０，１０と配管１１を通じて送風機１２の排気口とが接続され、この送風機１２内に、モータ１４で駆動するシロッコファン１３と、紫色ＬＥＤ１６を点灯させて光触媒作用による消臭、除菌、抗ウイルス作用を発揮する触媒プレフィルタ１５とが設けられて、送風機１２から吸引される空気にマイナスイオンを付加させ、更に、除菌と消臭を行なって空気噴出し口１０，１０から噴出されるように構成されている。このため、着席している人を中心に快適な室内環境を与える。
【産業上の利用可能性】
【００２７】  本発明は、理美容椅子及び歯科用椅子の分野、及び自動車の座席など分野において利用可能性がある。
【図面の簡単な説明】
【００２８】
【図１】本発明の実施例１による理美容椅子を簡略して示した側面図である。
【図２】同じく正面図である。
【図３】他の実施例による利美容石を簡略して示した正面図である。
【符号の説明】
【００２９】１    理美容椅子
２    座面
２ａ  凹溝
２ｂ  開孔
３    背もたれ面
３ａ  凹溝
３ｂ  開孔
４    空気路
５    送風機
７    シロッコファン
８    モータ
Ｓ１，Ｓ２  空間
【図１】
2005296593.tif 000003
【図２】
2005296593.tif 000004
【図３】
2005296593.tif 000005